(57)【要約】      （修正有）【課題】色および／または強度欠陥を最小限に抑えた状態で、色環の光量を大きくする。【解決手段】光ビームが、純色周期と、遷移周期からなり、少なくとも３色の順で発光するステップと、変調素子を使用し、光ビームの一時的な分割部分を照射して画像を形成するか、あるいは使用しないステップと、各色の最小値から最大値の画像信号入力を受信するステップと、純粋な色周期全体の総和から各色の全強度を、遷移周期の総和からそれぞれ求めるステップと、各色について全強度に対する画像信号入力の強度値の範囲に重みをつけるステップと、画像信号強度値が、純色周期の全体と全強度周期との間にあるときに、変調素子が、すべての遷移周期からの光ビームを利用するステップを有し、遷移周期の長さを、一つの純色が次の純色に変化するために必要な実際の時間よりも長く設定し、全周期の合計に関する白色点が、正常データからの白色点と同じ色度をもつようにする。【選択図】図１
2008276186.tif 000002
【特許請求の範囲】
【請求項１】
各色に関する純色周期、および光ビームがある色から次に色に変わるときの２つかそれ以上の遷移周期からなり、少なくとも３つの色を順に有する光ビームをフレーム周期時に発光するステップ、
変調素子を使用して、光ビームの一時的な分割部分を照射して画像を形成するか、あるいは変調素子を使用しないステップ、
各色について最小値から最大値までの範囲にある強度値を有する画像信号入力を受信するステップ、
純粋な色周期全体の総和から各色の全強度を、遷移周期の総和からそれぞれの成分を求めるステップ、
各色について全強度に対する画像信号入力の強度値の範囲に重みをつけるステップ、および、
画像信号強度値が、純色周期の全体と全強度周期との間にある値に対応するときに、変調素子が、すべての遷移周期からの光ビームを利用できるようにしたステップからなることを特徴とする画像生成方法。
【請求項２】
すべての遷移を合計する白色点が正常データからの白色点と同じ色度をもつように、遷移周期の長さを、一つの純色が次の純色に変化するために必要な実際の時間よりも長く設定した請求項１記載の方法。
【請求項３】
一つの色が次の色に変わるときの、開始時および終了時のバラツキを吸収するように、一つの純色が次の純色に変化するために必要な実際の時間よりもすべての遷移周期を長く設定した請求項１記載の方法。
【請求項４】
変調素子が遷移周期からの光ビームを使用するが、純色周期を短縮して、使用する純色周期および一つかそれ以上の遷移周期からのそれぞれの成分の総和を、対応する画像信号強度値よりも小さく設定した請求項１〜３のいずれか１項記載の方法。
【発明の詳細な説明】
【技術分野】
【０００１】
本発明は、カラー画像ディスプレーに関する。
【背景技術】
【０００２】
現在のデジタルディスプレー装置の場合、代表的には、三原色ＲＧＢの光の混色によってカラー画像を生成している。三原色を混色するさいには、各色を同時に、あるいは重ね合わせた状態で表示するか、あるいは各色を順に表示すれ
ばよい。各色を順に十分すばやく表示すれば、ヒトの目は、三原色を一つの混色された色として認識する。
【０００３】
これについては、各原色を順にもつ液晶アレーやマイクロミラーディスプレーなどの空間光変調素子（ＳＬＭ）を照明し、回転する色環から原色を発生することによって達成することができる。色環は、赤色フィルター、緑色フィルターおよび青色フィルターからなり、白色光を色環に照射すると、白色光のＲＧＢ成分が順に変調素子に照射することになる。
【０００４】
色環と呼ばれているが、円筒形フィルターや六角形フィルターなどの他の形式のフィルターも使用可能である。フィルターは反射または透過のいずれかによって各原色を順に分離する。一部の色環は、フィルターを透過した光に加えて、白色を透過する別な、非原色および／または透明領域を有する。
【０００５】
表示画像をできるだけ明るくするためには、変調素子をできるだけ長い時間照明することが望ましい。このため、色環の隣接する色フィルターの一つかそれ以上を相互に直接当接させて、黒色境界がないようにすることが多い。色環に照射された白色ビームが、リーディングエッジおよびトレーリングエッジをもつ有限の横断面をもつため、リーディングエッジが２つの隣接色フィルター間の境界をクロスする時点から、トレーリングエッジがこの境界をクロスする時点まで、色環から変調手段に照射された光は、２つの原色からなる。従って、一つの原色フィルターがそれ以外の２つの原色をもつ一つか二つの当接境界をもつ場合、その画像またはその色の複数の画像がその原色成分からだけなることはなく、残りの原色の一方または両方を含むことになる。これは、見る者が受け取る見かけの色に影響を与えるため、表示色が、入力信号の色と一致しなくなる。
【０００６】
ＵＳ６４４５５０５（Ｍｏｒｇａｎ）には、赤色フィルター、緑色フィルターおよび青色フィルター、およびフィルターがなくても白色光を透過する透明部分をもつ色環が開示されている。各画素の色および強度は、変調素子が赤色光、青色光、緑色光および白色光によって照射される時間の長さにビット数を割り当てることによって表わされる。上記公報の場合、光ビームが２色間の境界をクロスするために必要な時間を２つの部分に分割する。即ち、第１部分は、主に、少量の第２色を有する第１色からなり、そして第２部分は、主に、少量の第１色（ここでは白色と考えられる）をもつ第２色からなる。このような各部分は、“白色ビット”として考えられるため、色環の白色セクションが発生する白色ビットが減少し、白色ビット能（および画像の明るさ）が強くなる。
【０００７】
いうまでもなく、色環境界からの光は白色ではなく、これら境界光ビットを白色ビットと考えることは、色および強度の欠陥につながる。この欠陥を解決するために、ディスプレー間に８つの異なるタイプの境界ビットをランダムに分配するとよく、あたかも白色ビットが使用されているように知覚できる。異なるタイプの境界ビットについても一時的に変えることができるが、ディスプレーの色解像力は、これら境界ビットを使用すると、低下する。
【特許文献１】ＵＳＰ６４４５５０５
【発明の開示】
【発明が解決しようとする課題】
【０００８】
本発明の目的は、色および／または強度欠陥を最小限に抑えた状態で、色環の光量を大きくすることである。
【０００９】
即ち、本発明は、
各色に関する純色周期、および光ビームがある色から次の色に変わるときの遷移周期からなる、少なくとも２つの色を順に有する光ビームをフレーム周期時に発光するステップ、
変調素子を使用して、光ビームの一時的な分割部分を照射して画像を形成するか、あるいは変調素子を使用しないステップ、
各色について最小値から最大値までの範囲にある強度値を有する画像信号入力を受信するステップ、
純粋な色周期全体の総和から各色の全強度を、遷移周期または複数の周期からそれぞれの成分を求めるステップ、
各色について全強度に対する画像信号入力の強度値の範囲に重みをつけるステップ、および
画像信号強度値が、純色周期の全体と全強度周期との間にある値に対応するときに、変調素子が、遷移周期からの光ビームを利用できるようにしたステップからなる画像生成方法を提供するものである。
【課題を解決するための手段】
【００１０】
本発明の場合、ＵＳ６４４５５０５（Ｍｏｒｇａｎ）とは対照的に、各境界周期を分割しない。さらに、本発明は、境界周期毎に別なデータビットを使用しない。代わりに、色環の完全な１サイクルにおける境界周期のすべてを一つの複合的な白色領域として扱う。データの一つのビット面を使用して、この複合的な白色領域時のＳＬＭを制御する。このため構成が簡単になる作用効果が得られる上に、色環位相の少量のジッターの影響を受けない。
【００１１】
赤色フィルター、緑色フィルターおよび青色フィルター、および光を透過しない暗色領域を有する色環に白色ビームを照射する。この場合、透過光は画素アレーからなる変調素子に入射する。このため、この画素アレーは、光の入射を可能にする、または可能にしない画素へ光が入射するのを可能にするため、画像の部分を生成する。
【発明を実施するための最良の形態】
【００１２】
以下、本発明の一実施態様を添付図面について説明する。
【００１３】
カラー画像フレームの画素それぞれについては、成分色毎のビット値によって表す。例えば、画素当たり２４ビットは、各原色について０〜２５５の諧調強度即ちビット値を与える。従って、画素を白色にスイッチオンできるため、ＬＣＤディスプレーの場合、各原色のビット値に対応する時間周期これを反射し、画素の色および明るさに寄与する。ここで“画素を白色に変える”および“画素を黒色に変える”は、画素をそれぞれオンオフ（反射変調素子では反射、非反射になる）することを意味する。以下、この表現を使用することにする。
【００１４】
色環の暗色領域によって、ＤＣ電荷バランスの周期をＬＣＤ素子で実行できる。
【００１５】
図１について説明する。色環が回転するたびに、出力には、光ビームが黒色セクター、赤色セクター、緑色セクターおよび青色セクターに入射し、純粋な色状態で強度が一定の時間周期ｔＫ、ｔＲ、ｔＧおよびｔＢが含まれる。これら各時間周期の間に、光ビームがそれぞれ黒赤セクター境界、赤緑セクター境界、緑青セクター境界および青黒セクター境界をクロスするより短い時間周期ｔＫＲ、ｔＲＧ、ｔＧＢおよびｔＢＫが存在する。図示のＲＧＢレベルは、最小値（即ち、光のない場合の値）と最大値（上記色フィルターに完全に入射する白色ビーム）と間の色の光強度の立ち上がりおよび立ち下がりを示す。
【００１６】
時間周期ｔＫＲ、ｔＲＧ、ｔＧＢおよびｔＢＫでは、透過光の状態は遷移状態である。黒-色遷移状態ｔＫＲおよびｔＢＫでは、出力の強度が変化する。色-色遷移状態ｔＲＧ、ｔＧＢでは、色相および強度の両者が変化する。遷移状態時の時間の関数としての光強度については、図示を簡単にするために、図１には直線として示す。なお、実際の波形は、照明光学系の細部に依存する。
【００１７】
本発明のシステムの場合、黒色に設定する代わりに、周期ｔＫＲ、ｔＲＧ、ｔＧＢおよびｔＢＫ時のすべてで画素を白色に設定し、画素の外観に影響するようにする。
【００１８】
周期ｔＫＲでは、ディスプレーに到達する光は、ｔＲと同じスペクトル（これをＳＲとよぶ）をもつが、単位時間の平均光量は、スポットが黒色セクターによって部分的に吸収されるため小さくなる。遷移状態時、上記周期ｔＲの一部としての光強度は、ゼロで始まり１で終わる曲線に従う。ここで、（この曲線下の面積に対応する）平均強度ファクターをｑとする。曲線が対称に近い場合、ｑは０．５に近くなると考えるが、０．５そのものになるとは想定していない。
【００１９】
各遷移周期が遷移周期ｔｔｒの場合、光の積分スループットｈＫＲは、
ｈＫＲ＝ｔｔｒｑＳＲ
である。
【００２０】
ｔＲＧ時の遷移曲線は、ｔＫＲと同じ曲線形状である。この遷移状態時、緑色の平均強度はｑである。光が緑色フィルターを通過しない場合には必ず、赤色フィルターを通過することになる。即ち、平均赤色強度はｌ−ｑである。従って、この遷移状態時の光の積分スループットは、
ｈＲＧ＝ｔｔｒ（（1−ｑ）ＳＲ+ｑＳＧ）
である。
同様に、緑色-青色境界および青色-黒色境界に関して、積分光スループットはそれぞれ
ｈＧＢ＝ｔｔｒ（（1−ｑ）ＳＧ+ｑＳＢ）
ｈＢＫ＝ｔｔｒ（（1−ｑ）ＳＢ）
である。従って、これら遷移周期時の全光スループットは
ｈＲＧ＋ｈＧＢ＋ｈＢＫ＝ｔｔｒ（ＳＲ＋ＳＧ＋ＳＢ）
である。
【００２１】
白色光成分を生成するために、３つのフィルターからのスペクトルに重みをつけて、各フィルターが透過した振幅および波長、即ちシステムについて純粋な色時間ｔＲ、ｔＧおよびｔＢを算出する必要がある。遷移周期時の全光スループットは、スペクトルの重み処理していない平均値である。なお、この平均値は、３つの色セクターのサイズが等しくない限り、純粋に各フィルターを順に透過した光を利用するシステムが発生する白色光の平均値とは同じではない。補正しない場合、これは、遷移ビットが状態変化するフェード点における色シェーディング欠陥になる。
【００２２】
上述したように、変調素子と色環の操作を同期すると、各原色をこれらに照射したときに画素を黒色および白色に切り替えることができるため、フルカラー画像を再生できる。なお、色環の回転は変動するため、変調素子の操作に対して位相を正確にあわすことができない。この現象およびその作用は“ジッター”として知られている。遷移周期時に色環からの光を利用しないシステムの場合、変調素子の画素については、位相差が画像ディスプレーに影響を与えない十分な時間各遷移周期の両側において黒色に切り替えることができる。なお、遷移光を利用する本発明システムの場合、色環位相シフトが変調素子の前で起こるか、あるいは後で起こるかに応じて、ジッターが発生した場合、遷移合計における赤色光または青色光の強度が低くなる。
【００２３】
図１において、ｔＫＲ、ｔＲＧ、ｔＧＢおよびｔＢＫの両側から拡張するより長い時間周期ｔＫＲ´、ｔＲＧ´、ｔＧＢ´およびｔＢＫ´も利用することができるが、この場合には、光、即ちＲＧＢ光を変調素子に照射しない周期ｔＫ´、ｔＲ´、ｔＧ´およびｔＢ´はその分短くなる。各拡張遷移時間は、拡張前周期および拡張後周期を加えることにより誘導できる。即ち、例えば、
ｔＫＲ´＝ｔＫＲａ＋ｔＫＲ＋ｔＫＲｂ
である。
【００２４】
これら新たな遷移周期の光スループットは、次のようになる。
ｈＫＲ´＝ｔｔｒｑＳＲ＋ｔＫＲｂＳＲ
ｈＲＧ´=ｔＲＧａＳＲ＋ｔｔｒ（１−ｑ）ＳＲ＋ｔｔｒｑＳＧ＋ｔＲＧｂＳＧ
ｈＧＢ´=ｔＧＢａＳＧ＋ｔｔｒ（１−ｑ）ＳＧ＋ｔｔｒｑＳＢ＋ｔＧＢｂＳＢ
ｈＢＫ´=ｔＢＫａＳＢ＋ｔｔｒ（１−ｑ）ＳＢ
【００２５】
これら４つの遷移周期光スループットからの全赤色成分（即ち、ｈＫＲ´およびｈＲＧ´の式における赤色成分項の合計）は、従って、
ｈＴＲ＝（ｔｔｒ＋ｔＫＲｂ＋ｔＲＧａ）ＳＲ
である。同様に、緑色成分および青色成分については、
ｈＴＲ＝（ｔｔｒ＋ｔＲＧｂ＋ｔＧＢａ）ＳＧ              
ｈＴＧ＝（ｔｔｒ＋ｔＧＢｂ＋ｔＢＫａ）ＳＢ
である。
【００２６】
合計遷移ビットのスペクトルは、従って、
ｈＫＲ´＋ｈＲＧ´＋ｈＧＢ´＋ｈＢＫ´＝（ｔｔｒ＋ｔＫＲｂ＋ｔＲＧａ）ＳＲ
＋（ｔｔｒ＋ｔＲＧｂ＋ｔＧＢａ）ＳＧ＋（ｔｔｒ＋ｔＧＢｂ＋ｔＢＫａ）ＳＢ
である。
【００２７】
（時間周期ｔＲ´、ｔＧ´およびｔＢに入る）正常データの白色点は、色時間ｔＲ´、ｔＧ´およびｔＢ´に比例して重みをつけた３つのフィルターからのスペクトルによって決まる。遷移周期の合計白色点は、スペクトルの重みをつけた平均であり、そして正常時間周期の比と遷移時間周期の比とが等価になることを確実にすることによって正常データと同じにすることができる。
ｔＲ´：ｔＧ´：ｔＢ´：：（ｔｔｒ＋ｔＫＲｂ＋ｔＲＧａ）：（ｔｔｒ＋ｔＲＧｂ＋
ｔＧＢａ）：（ｔｔｒ＋ｔＧＢｂ＋ｔＢＫａ）
即ち、拡張期間を調節することによって、遷移ビットの白色バランスを正常データに一致させることができ、色シェーディング問題を回避できる。
【００２８】
図２ついて説明する。“理想位相”の上側信号は、変調素子に対して完全に同期した色環が発生する赤色光出力を示す。“進んだ位相”の下側信号は、変調素子よりも時間周期Δｔだけ先行した色環が発生する赤色出力を示す。図示のように、周期ｔＫＲ´の赤色スループットは増加し、周期ｔＲＧ´の赤色スループットは減少する。赤色データビットが表示されている間、周期ｔＲ´の赤色スループットは、光関数がこの領域で平坦な場合、影響を受けない。さらに、（遷移を含む）全赤色パルスは大きさが変化しないため、ｔＫＲ´赤色スループットの増加は、ｔＲＧ´の赤色スループットの減少と正確に一致していなければならない。ｔＫＲ´およびｔＲＧ´において同じビットデータを使用する場合、このビットの赤色スループットは、ジッターの影響をうけることはない。ただし、色環の位相シフトは、遷移時間周期の上記拡張部分を越えないものとする。即ち、
−ｔＫＲａ≦Δｔ≦ｔＫＲｂ
−ｔＲＧａ≦Δｔ≦ｔＲＧｂ
同様に、同じビットデータｔＫＲ´およびｔＲＧ´をｔＧＢ´およびｔＢＫ´で使用する場合、
−ｔＧＢａ≦Δｔ≦ｔＧＢｂ
−ｔＢＫａ≦Δｔ≦ｔＢＫｂ
を満足すると、画像にはジッターの影響はでない。
【００２９】
上述したように、各原色のビット値は０〜２５５である。最も高いレベルの赤色（レベル２５５）は赤色セクターに完全に含まれる、全持続時間ｔＲ´をもつため、一つの単位の赤色のスループットは、
ｈＲ＝ｔＲ´ＳＲ／２５５
で与えられる。遷移ビットの赤色重みつけは、ｈＴＲ＝（ｔｔｒ＋ｔＫＲｂ＋ｔＲＧａ）ＳＲであるため、遷移ビットの等価な赤色レベルｌＴＲは、
ｌＴＲ＝ｈＴＲ／ｈＲ            
＝２５５（ｔｔｒ＋ｔＫＲｂ＋ｔＲＧａ）／ｔＲ´
である。同様に、緑色レベルおよび青色レベルについては、
ｌＴＧ＝２５５（ｔｔｒ＋ｔＲＧｂ＋ｔＧＢａ）／ｔＧ´
ｌＴＢ＝２５５（ｔｔｒ＋ｔＧＢｂ＋ｔＢＫａ）／ｔＢ´
である。データの処理は色チャンネルそれぞれを対応する閾値と比較することから始める。
ｄｐＲ＝ｍａｘ（ｇＲｄｉｎＲ−ｌＴＲ、０）
ｄｐＧ＝ｍａｘ（ｇＧｄｉｎＧ−ｌＴＧ、０）
ｄｐＢ＝ｍａｘ（ｇＢｄｉｎＢ−ｌＴＢ、０）
ｄｐＭｉｎ＝ｍｉｎ（ｄｐＲ、ｄｐＧ、ｄｐＢ）
【００３０】
図３は、ただ一つの色チャネル（即ち赤色）が示されているグレースケールである。値ｌＴＲは４５に設定してある。まず、色チャネルデータを見ると、出力値のスケールファクターｇａＲは、
2008276186.tif 000003
である。
即ち、スケール化値ｄｓＲは
ｄｓＲ＝ｇａＲｄｉｎＲ
である。他の２つのチャネルについても、等価な値が誘導できる。
【００３１】
一つの色チャネルが他のチャネルよりも非常に明るい場合がある。赤色出力が２５５を超えるために、ｄｓＲが２５５を超えたときに、遷移ビットをオンする必要がある。また、遷移ビットをオンできる他の場合もある。ｄｓＲが少なくともｌＴＲと同じ大きさで、赤色データが平滑な赤色応答を維持するようにｌＴＲによって決定されたときには必ず、遷移ビットをオンできる。レベルマッチングのさいに残留エラーがあっても、高強度バックラウンドでは目につかないため、このような低いレベルで遷移ビットをオンすることは必ずしも望ましいものではない。
【００３２】
任意のデータチャネルが２５５を超えるときに、遷移ビットをオンすることが望ましい（Ｔｄ）ということできる。
Ｔｄ＝（ｄｓＲ＞２５５）Ｖ（ｄｓＧ＞２５５）Ｖ（ｄｓＢ＞２５５）
また、全データチャネルがその遷移ビット等価を超えるときには、オンすることが望ましい。
Ｔｐ＝（ｄｓＲ≧ｌＴＲ）Λ（ｄｓＧ≧ｌＴＧ）Λ（ｄｓＢ≧ｌＴＢ）
【００３３】
ミスマッチがある場合、特に証明および生産のために、これが見えることを最小限に抑える必要がある場合、遷移ビットが許容されかつ望ましい事態ならば、“コウシャス”アプローチによりこれをオンする。遷移ビットが許容できる場合にこれをオンする“イーガー”アプローチによりミスマッチが存在する場合にはこれを最大に視覚化するが、このアプローチの場合は、パラメータを同期した状態でシステム構築時に使用するのが有利かもしれない。コウシャスアプローチは定義すれば、
Ｔ＝Ｔｄ∧Ｔｐ
であり、一方イーガーアプローチは定義すれば、
Ｔ＝Ｔｐ
である。Ｔが真であれば、遷移ビットをスイッチオンするが、さもなければスイッチオフする。
【００３４】
一つのチャネル（即ち緑色）のスケール化データが２５５を超えるが、他のチャネルの一つ（即ち青色）があまりにも低いため、遷移ビットをオンオフできない場合には、赤色チャネルを２５５以下に制限するかクリッピングする必要がある。青色チャネルがｌＴＢのすぐ下から変化するときにクリッピングまたは赤色が突然外された場合には、不連続性がフェードに発生するため、クリッピングが徐々にフェーズアウトする。これは、“ソフトクリッピング”と呼ばれる。
【００３５】
ソフトクリッピングを実現するために、３つのチャネルについて高閾値パラメータｌＨＲ、ｌＨＧおよびｌＨＢを定義する。これらから、重みつけファクターｗＲ、ｗＧおよびｗＢを算出する。
ｄｓＲ＜ｌＴＲの場合、    ｗＲ＝０
ｌＴＲ≦ｄｓＲ≦ｌＨＲの場合、            ｗＲ＝（ｄｓＲ−ｌＴＲ）/（ｌＨＲ−ｌＴＲ）
ｄｓＲ＞ｌＴＲの場合、    ｗＲ＝１
ｄｓＧ＜ｌＴＧの場合、    ｗＧ＝０
ｌＴＧ≦ｄｓＧ≦ｌＨＧの場合、            ｗＧ＝（ｄｓＧ−ｌＴＧ）/（ｌＨＧ−ｌＴＧ）
ｄｓＧ＞ｌＴＧの場合、    ｗＧ＝１
ｄｓＢ＜ｌＴＢの場合、    ｗＢ＝０
ｌＴＢ≦ｄｓＢ≦ｌＨＢの場合、            ｗＢ＝（ｄｓＢ−ｌＴＢ）/（ｌＨＢ−ｌＴＢ）
ｄｓＢ＞ｌＴＢの場合、    ｗＢ＝１
【００３６】
最後の重みつけファクターｗｍｉｎは、単純に他の３つの最小である。
ｗｍｉｎ＝ｍｉｎ（ｗＲ、ｗＧ、ｗＢ）
赤色チャネルの２つの想定される出力値を考えると、遷移ビットをスイッチオフするときには、第１の値ａＲを使用すべきである。また遷移ビットをオンするときには、第２の値ｂＲを使用すべきである。
ａＲ＝ｍｉｎ（ｄｓＲ、２５５）
ｂＲ＝ｄｓＲｗｍｉｎ＋ａＲ（１−ｗｍｉｎ）−ｌＴＲ
赤色データチャネルの最終出力値は、
Ｔが間違いのとき、即ち遷移ビットがオフの場合、ｄｏｕｔＲ＝ａＲ
それ以外の場合、ｄｏｕｔＲ＝ｂＲ
である。
【００３７】
等価値ａＧ、ｂＧ、ｄｏｕｔＧ、ａＢ、ｂＢおよびｄｏｕｔＢについては、他の２つのチャネルの場合と同様に計算する。
【００３８】
図４について説明すると、合計した緑色出力および青色出力は、それぞれ、点線ｓｕｍＧおよびｓｕｍＢで表す。一方、色環の純粋なセクターからの緑色成分および青色成分（即ち遷移ビットのない成分）は、それぞれ、実線ｄｏｕｔＧおよびｄｏｕｔＢで表す（なお、赤色チャネルについては図示していないが、緑色出力と同じ経路に従う）。本実施例では、全出力は、グラフの左側の純黄色（２５５、２５５、０）から右側の白色（２５５、２５５、２５５）にフェードする。上記のソフトクリッピングを実行して、遷移ビットをフェードの初期に（青色がｌＴＢに達するとすぐに）オンするが、緑色チャネルを下向きに調節して不連続になることを回避する。青色が強くなると、緑色がそのクリッピングレベルからそのフルスケール値ｄｓＧまで上がる。
【００３９】
上記システムは三色セクターおよび黒色セクターをもつ色環を利用しているが、本発明の考えは、異なる構成および／または異なる色数をもつ色環を利用する他のシステムでも実行できる。さらに、本実施例の各色チャネルは８ビットの強度値を使用して定義しているが、本システムは、他のデジタル色表示法にも適用できる。
【図面の簡単な説明】
【００４０】
【図１】本システムの色強度値および時間周期を示す図である。
【図２】別なシステムの色強度値および時間周期を示す図である。
【図３】本システムの入出力信号のグラフである。
【図４】本システムの別な入出力信号のグラフである。
【図１】
2008276186.tif 000004
【図２】
2008276186.tif 000005
【図３】
2008276186.tif 000006
【図４】
2008276186.tif 000007
【外国語明細書】
2008276186.tif 000008
2008276186.tif 000009
2008276186.tif 000010
2008276186.tif 000011
2008276186.tif 000012
2008276186.tif 000013
2008276186.tif 000014
2008276186.tif 000015
2008276186.tif 000016
2008276186.tif 000017
2008276186.tif 000018
2008276186.tif 000019
2008276186.tif 000020
2008276186.tif 000021
2008276186.tif 000022
2008276186.tif 000023
2008276186.tif 000024
2008276186.tif 000025
2008276186.tif 000026
【図１】
2008276186.tif 000027
【図２】
2008276186.tif 000028
【図３】
2008276186.tif 000029
【図４】
2008276186.tif 000030